(57)【特許請求の範囲】
【請求項１】
側枠部材と横枠部材とから構成されパネル本体の骨格を形成する構造枠体と、前記構造枠体の前後少なくとも一方の面に着脱可能に装着されるパネル要素とを具備してなるものにおいて、
前記構造枠体又はパネル要素の対向面の何れか一方側に設けた爪部と、この爪部に取り付けられ、前記構造枠体又はパネル要素の対向面の他方側に係り合う爪要素を有する厚み調整部材とを具備し、この厚み調整部材が、前記構造枠体とパネル要素の対向面間に介在して前記対向面間の離間距離を変更し得るものであり、異なる奥行き寸法の厚み調整部材に付け替えることにより前記離間距離を変更することを特徴とするパネル。
【請求項２】
厚み調整部材が、前記爪部に対して着脱可能に取り付けられるものであることを特徴とする請求項１記載のパネル。
【請求項３】
厚み調整部材が、前記爪部に対してパネル本体の幅方向に沿って略水平方向にスライドさせることにより取り付けられるものであることを特徴とする請求項１又は２記載のパネル。
【請求項４】
厚み調整部材が、パネル本体の幅方向に沿った位置に複数設けてあり、そのうちの少なくとも対をなすものが、それぞれ逆方向にスライドさせることにより前記爪部に取り付けられるものであることを特徴とする請求項３記載のパネル。
【請求項５】
爪部が、前記パネル要素側に設けてあるとともに、前記厚み調整部材の爪要素が、前記構造枠体に設けた開口に係り合うことを特徴とする請求項１、２、３又は４記載のパネル。
【請求項６】
爪部が、前記パネル要素の上部側又は下部側に設けた第１、第２の爪部であるとともに、前記厚み調整部材が、前記第１、第２の爪部にそれぞれ取り付けられる第１、第２の厚み調整部材であり、上部側に取り付けられる第１の厚み調整部材の爪要素が上向爪であり、下部側に取り付けられる第２の厚み調整部材の爪要素が下向爪であることを特徴とする請求項５記載のパネル。
【請求項７】
側枠部材と横枠部材とから構成されパネル本体の骨格を形成する構造枠体と、前記構造枠体の前後少なくとも一方の面に着脱可能に装着されるパネル要素とを具備してなるパネルにおいて、前記構造枠体又はパネル要素の対向面の何れか一方側に設けた爪部に取り付けられ、前記構造枠体又はパネル要素の対向面の他方側に係り合う爪要素を有するものであるとともに、前記構造枠体とパネル要素の対向面間に介在して前記対向面間の離間距離を変更し得るものであり、異なる奥行き寸法のものに付け替えることにより前記離間距離を変更することを特徴とする厚み調整部材。
【請求項８】
前記爪部に対して着脱可能に取り付けられるものであることを特徴とする請求項７記載の厚み調整部材。
【請求項９】
前記爪部に対してパネル本体の幅方向に沿って略水平方向にスライドさせることにより取り付けられるものであることを特徴とする請求項７又は８記載の厚み調整部材。
【請求項１０】
パネル本体の幅方向に沿った位置に複数設けてあり、そのうちの少なくとも対をなすものが、それぞれ逆方向にスライドさせることにより前記爪部に取り付けられるものであることを特徴とする請求項９記載の厚み調整部材。
【請求項１１】
パネル要素側に設けた爪部に取り付けられ、前記爪要素を前記構造枠体に設けた開口に係り合わせることを特徴とする請求項７、８、９又は１０記載の厚み調整部材。
【請求項１２】
前記パネル要素の上部側又は下部側に設けた第１、第２の爪部にそれぞれ取り付けられるものであり、上部側の爪要素が上向爪であり、下部側の爪要素が下向爪であることを特徴とする請求項１１記載の厚み調整部材。
【発明の詳細な説明】
【０００１】
【発明の属する技術分野】
本発明は、可動間仕切等としてオフィス等で好適に利用されるパネル、及びそのパネルに利用される厚み調整部材に関するものである。
【０００２】
【従来の技術】
例えば、オフィス等で空間を仕切るものとして使用される可動間仕切等のパネルがある。この種のパネルとしては、パネル本体の骨格を形成する構造枠体と、この構造枠体の前後両面の略全域を覆う位置に着脱可能に装着されるパネル要素とを具備するものが挙げられる。
【０００３】
そして、このパネルをオフィス内で使用する際には、種々の使用態様に合わせて異なる厚み寸法のものを選択して利用するのが一般的である。例えば、パネルの配線機能を利用してオフィス内に配線を張り巡らしたい場合には、構造枠体とパネル要素間に形成される空間を配線空間として利用するべくパネルの厚み寸法が比較的厚いタイプのものを利用し、一方、オフィスの省スペース化を図る場合には、その厚み寸法が比較的薄いタイプのものを使用するなどの使用態様が考えられる。
【０００４】
【発明が解決しようとする課題】
一方、従来、異なる厚み寸法のパネルを各種構成する際には、各種厚み寸法が異なる構造枠体を数種類用意し、これら構造枠体にパネル要素のみ共通のものを装着するようにしている。しかしながら、このような構成であると、比較的大型で生産及び保管上の負担が大きい構造枠体において厚みの異なるものが各種必要となり、生産上の負担やコストが増大するだけでなく、常時、工場内に数種類を在庫しておかねばならないため専用の在庫スペースが必要となるなど、種々の負担が製造者側に生じるものであった。また、現場で簡単に使用者の要望に合わせて厚み変更できない等、使用変更や要求に対し柔軟に対応できないという不具合もあった。
【０００５】
また、一枚のパネルの中で部分的に厚みを変更させて、様々な使用態様に対応したいという要望もある。
【０００６】
そこで、本発明は、上記課題に着目して、構造枠体やパネル要素等に変更を加えることなく、部分的又は全体的にパネルの厚みを変更できるように構成し、様々な使用態様に柔軟に対応し得るようにしたものである。
【０００７】
【課題を解決するための手段】
すなわち、本発明は、側枠部材と横枠部材とから構成されパネル本体の骨格を形成する構造枠体と、前記構造枠体の前後少なくとも一方の面に着脱可能に装着されるパネル要素とを具備してなるものにおいて、前記構造枠体又はパネル要素の対向面の何れか一方側に設けた爪部と、この爪部に取り付けられ、前記構造枠体又はパネル要素の対向面の他方側に係り合う爪要素を有する厚み調整部材とを具備し、この厚み調整部材が、前記構造枠体とパネル要素の対向面間に介在して前記対向面間の離間距離を変更し得るものであり、異なる奥行き寸法の厚み調整部材に付け替えることにより前記離間距離を変更することを特徴とする。
【０００８】
このような構成のものであると、パネルの厚み寸法を部分的又は全体的に変更したい場合に、構造枠体及びパネル要素に変更を加えずとも、厚み調整部材を取り付けたり、厚み寸法の異なる厚み調整部材を付け替えたりする等して、簡単に構造枠体とパネル要素の対向面間の離間距離を変更してパネルの厚み寸法を変更し、使用者が要望する種々の使用形態に柔軟に応えることが可能となる。
【０００９】
厚み調整部材の種類を種々変更する等してパネルの厚み変更に対応する場合に、その変更作業を容易なものとし得るには、厚み調整部材が、前記爪部に対して着脱可能に取り付けられることが望ましい。
【００１０】
厚み調整部材が落下すること等を有効に防止するとともに、取付の便を図るには、厚み調整部材が、前記爪部に対してパネル本体の幅方向に沿って略水平方向にスライドさせることにより取り付けられるものであることが望ましい。
【００１１】
パネル要素に幅方向の外力が働いた場合に、前記爪部から厚み調整部材が外れることを有効に防止するには、厚み調整部材が、パネル本体の幅方向に沿った位置に複数設けてあり、そのうちの少なくとも対をなすものが、それぞれ逆方向にスライドさせることにより前記爪部に取り付けられるものであることが望ましい加工の容易性等を図るには、爪部が、前記パネル要素側に設けてあるとともに、前記厚み調整部材の爪要素が、前記構造枠体に設けた開口に係り合うことが望ましい。
【００１２】
好適な実施の態様としては、爪部が、前記パネル要素の上部側又は下部側に設けた第１、第２の爪部であるとともに、前記厚み調整部材が、前記第１、第２の爪部にそれぞれ取り付けられる第１、第２の厚み調整部材であり、上部側に取り付けられる第１の厚み調整部材の爪要素が上向爪であり、下部側に取り付けられる第２の厚み調整部材の爪要素が下向爪であるものが挙げられる。
【００１３】
【発明の実施の形態】
以下、本発明の一実施の形態について説明する。
【００１４】
この実施の形態におけるパネル１は、図１及び図２に示すように、パネル本体８の骨格を形成する構造枠体２と、この構造枠体２の前後両面側に着脱可能に装着されるパネル要素３と、前記構造枠体２の上端部に取り付けられる笠木Ｋと、前記構造枠体２の下端部に取り付けられる巾木Ｈとを具備している。なお、図１では、前記笠木Ｋ及び巾木Ｈを想像線で示している。そして、本実施の形態のパネル１は、前記構造枠体２とパネル要素３とによって閉止される位置である内部空間を配線類を収納し得る配線空間Ｓとしている。
【００１５】
以下、各部の構成について説明する。
【００１６】
構造枠体２は、図２に示すように、パネル１の側端面を形成する略鉛直方向に沿って配置した左右の側枠部材２１と、これら左右の側枠部材２１を連結する略水平方向に沿って配置した複数の横枠部材２２とを具備し、これら側枠部材２１と横枠部材２２とを枠体状に連結している。側枠部材２１は、略鉛直方向に沿って位置する略角パイプ状のものである。横枠部材２２は、略水平方向に沿って位置する横断面略下向きコ字形のものである。そして、その左右側端面を前記左右の側枠部材２１の内側面に当接させて、溶接等の適宜の手段で左右の側枠部材２１間に取り付けてある。
【００１７】
パネル要素３は、図２に示すように板金製の板状部材を折り曲げて構成してある長方形状のもので、面板部３１の裏面側に芯材３２を充填してある。このパネル要素３は、上下方向に沿って複数枚連設されることにより、前記構造枠体２の略全域を覆う位置に設けてある。
【００１８】
このような構成のものにおいて、本実施の形態では、前記パネル要素３の面板部３１の裏面側に爪部たる第１、第２の爪部４、５を設けるとともに、これら第１、第２の爪部４、５にそれぞれ取り付けられ、前記構造枠体２側に係り合う第１、第２の厚み調整部材たる第１、第２の取付爪体６、７とを具備している。そして、これら第１、第２の取付爪体６、７を利用して、前記側枠部材２１にパネル要素３を着脱可能に装着し得るようにしているとともに、パネル１の厚み寸法を変更し得るようにしている。すなわち、これら第１、第２の取付爪体６、７は、前記構造枠体２とパネル要素３の対向面間に介在するものであり、本実施の形態では、異なる厚み寸法を有する取付爪体を取り付けて前記対向面間の離間距離を変化させることにより、パネルの厚み寸法を変更するようにしている。なお、本実施の形態では、前記構造枠体２とパネル要素３の対向面を、前記横枠部材２１の前後面２１ａと、パネル要素３の裏面３ａとしている。また、図２中符号Ａで示すものは、パネル要素３の裏面３ａに突き当って、そのへこみを防止するへこみ防止部材であり、前記横枠部材２２に対する取付姿勢を変更することにより、パネル１の厚み寸法を変更した場合にも良好に対応し得るものである。
【００１９】
以下、各部の構成について説明する。
【００２０】
第１の爪部４は、図３、図５及び図６に示すように、板金製の薄板状部材を折り曲げて形成したもので、前記パネル要素３の面板部３１の裏面３１ａ側の上端部近傍に前記芯材３２に代えてそれぞれ左右対をなして溶接等の適宜の手段で取り付けてある。具体的には、前記面板部３１の裏面３１ａ側に取り付けてある正面視略矩形状の取付板４１と、この取付板４１の上縁部の略中央位置から一体に延出した頂壁４２１及び垂下壁４２２から構成される上保持部４２と、前記取付板４１の下縁部の略中央位置から一体に延出した底壁４３１及び起立壁４３２から構成される下保持部４３とを具備している。なお、前記下保持部４３の起立壁４３２には、正面視円形状の貫通孔４３３が設けてある。
【００２１】
第２の爪部５は、図４、図５及び図７に示すように、板金製の薄板状部材を折り曲げて形成したもので、前記パネル要素３の面板部３１の裏面３１ａ側の下端部近傍に、前記芯材３２に代えてそれぞれ左右対をなして溶接等の適宜の手段で取り付けてある。具体的には、前記面板部３１の裏面３１ａ側に取り付けてある正面視略矩形状の取付板５１と、この取付板５１の上縁部の略中央位置から一体に延出した頂壁５２１及び傾斜壁５２２とから構成される下向爪部５２とを具備している。
【００２２】
第１の取付爪体６は、図３、図５及び図６に示すように、前記左右の第１の爪部４に着脱可能に取り付けてある左右に対をなすものであり、前記第１の爪部４に対してパネル要素３の幅方向に沿って略水平方向にスライドさせることにより取り付けられるものである。本実施の形態では、左右の第１の取付爪体６は、それぞれ逆方向、すなわち互いに離間する方向にスライドさせることにより前記第１の爪部４に取り付けられるように、互いに左右対称な構成を有している。この第１の取付爪体６は、前記第１の爪部４において取付板４１及び上下保持部４２、４３間に形成される挿入空間内に挿入される取付爪体本体６１と、前記取付爪体本体６１の下端部側に設けてある舌片６２と、所定の取付位置で前記第１の爪部４の上下保持部４２、４３の内側面に突き当たって位置決めを行う当たり部６３と、前記取付爪体本体６１の左右端部からパネル１の内方に向って突出した左右一対の突出壁６４と、これら左右の突出壁６４間に設けてある弾性変形可能な爪要素たる上向爪部６５とを具備している。
【００２３】
取付爪体本体６１は、パネル要素３の幅方向に沿って横スライドさせることによって、前記第１の爪部４の挿入空間内に挿入される略直方体状のものである。
【００２４】
舌片６２は、前記取付爪体本体６１の下端部側に設けた開口６１１内に位置するもので、その外側端側を前記取付爪体本体６１の一部から延出し、内側端側を自由端とするものである。そして、この舌片６２は、挿入時に前記第１の爪部４の下保持部４３の起立壁４３２に押されて経過的に弾性変形し所定の取付位置で元の形状に復元して前記貫通孔４３３に係り合う突部６２１を有している。
【００２５】
当たり部６３は、前記取付爪体本体６１の内側端側に設けた板状のもので、前記取付爪体本体６１の上下面よりも上下方向に延出した上下延出端部６３１を具備し、これら上下延出端部６３１が、所定の取付位置で前記第１の爪部４の上下保持部４２、４３の内側面に突き当たって位置決めを行う。
【００２６】
突出壁６４は、所定の取付位置で前記側枠部材２１の開口２１１内に挿入される挿入部６４１と、前記側枠部材２１の前後面２１ａとパネル要素３の裏面３ａ間に介在する介在部６４２とを具備している。
【００２７】
上向爪部６５は、前記パネル要素３を構造枠体２に取り付ける際に、前記側枠部材２１に設けた開口２１１に係り合うもので、前記開口２１１に挿入した時に、当該開口２１１の上開口縁部２１１ａに押されて経過的に弾性変形し、所定の取付位置で元の形状に復元して前記側枠部材２１と係り合うものである。
【００２８】
第２の取付爪体７は、図４、図５及び図７に示すように、前記左右の第２の爪部５に対して着脱可能な左右に対をなすものであり、前記パネル要素３の幅方向に沿って略水平方向にスライドさせることにより取り付けられるものである。本実施の形態では、左右の第２の取付爪体７は、それぞれ逆方向、すなわち互いに離間する方向にスライドさせることにより前記第２の爪部５に取り付けられるように互いに左右対称な構成を有している。この第２の取付爪体７は、略直方体状の取付爪体本体７１と、前記第２の爪部５の下向爪部５２を挿入するための溝部７２と、前記取付爪体本体７１からパネル１の内方に向って突出した爪要素たる下向爪部７３とを具備している。
【００２９】
溝部７２は、前記取付爪体本体７１の外側面７１１及びパネル要素３と対向する面７１２側に開口している。なお、この溝部７２は、外側面７１１側近傍の下向面７２ａから下方に突出した弾性変形可能なリブ７２１を有している。そして、このリブ７２１は、前記溝部７２に第２の爪部５の下向爪部５２を挿入した際に、経過的に弾性変形して前記第２の爪部５の挿入を許容し、所定の取付位置で元の形状に復元して前記第２の爪部５の外側面に突き当って前記第２の取付爪体７の所定の取付位置からの移動を禁止するものである。なお、図中符号７４で示すものは、軽量化等を図るために設けた肉抜部である。
【００３０】
このような構成のものにおいて、パネル１の厚み変更に対応する場合には、異なる奥行寸法を有する第１、第２の取付爪体を取り付けることにより、前記側枠部材２１の前後面２１ａとパネル要素３の裏面３ａとの間の離間距離を変更するようにしている。例えば、本実施の形態において、パネル１の厚み寸法を小さくする場合には、図８に示すように、パネル要素３の上端部側では、前記第１の爪部４に前述した第１の取付爪体６よりも奥行寸法の小さい第１の取付爪体１０６を取り付けて、上向爪部１０６５を側枠部材２１に設けた開口２１１に係り合わせるとともに、前記パネル要素３の下端部側では、前記第２の爪部５の下向爪部５２を前記側枠部材２１の開口２１１に直接的に係り合わせるようにしている。
【００３１】
次に、前記構造枠体２にパネル要素３を取り付ける場合の手順について説明する。
【００３２】
先ず、図２に示すように、前記パネル要素３の第１、第２の爪部４、５に、それぞれ第１、第２の取付爪体６、７を取り付ける。なお、この時に、パネル１の厚みに対応させて、取り付ける取付爪体の種類を変更する、又は取付爪体を取り付けないという選択をする。
【００３３】
しかして、前記第１の爪部４に第１の取付爪体６を取り付ける際には、図３及び図６に示すように、左右の第１の取付爪体６を前記第１の爪部４の内側面側から互いに離間する方向へパネル要素３の幅方向に沿って横スライドさせることにより、前記取付爪体本体６１を第１の爪部４の前記挿入空間内へ挿入する。挿入時、前記舌片６２が、前記第１の爪部４の下保持部４３の起立壁４３２に押されて経過的に弾性変形し所定の取付位置で元の形状に復元することにより前記下保持部４３の貫通孔４３３に突部６２１を係り合わせるとともに、図６中想像線で示すように、前記当たり部６３の上下延出端部６３１が、所定の取付位置で前記第１の爪部４の上下保持部４２、４３の内側面に突き当たって位置決めされる。
【００３４】
一方、第２の爪部５に第２の取付爪体７を取り付ける際には、図４及び図７に示すように、左右の第２の取付爪体７を前記第２の爪部５の内側面側から互いに離間する方向へパネル要素３の幅方向に沿って横スライドさせることにより、前記溝部７２内に第２の爪部５を挿入する。挿入時、前記溝部７２の下向面７２ａに設けた前記リブ７２１は、前記第２の爪部５の頂壁５２１に押されて経過的に弾性変形することにより、前記第２の爪部５の挿入を許容する。そして、このリブ７２１は、所定の取付位置で元の形状に復元し、図７に示すように、前記第２の爪部５の外側面に突き当って前記第２の取付爪体７の所定取付位置からの移動を禁止する。
【００３５】
次に、前記第１、第２の取付爪体６、７を取り付けたパネル要素３を前記構造枠体２の側枠部材２１に取り付ける際の手順について説明する。
【００３６】
先ず、図９中想像線に示すように、パネル要素３の下端部側に設けた第２の取付爪体７の下向爪部７３を前記側枠部材２１の開口２１１の下開口縁部２１１ｂに上方から引っ掛ける。しかる後、パネル要素３の下端部側を支点にして、上端部側を側枠部材２１に接近させる方向へ回転させる。このように前記パネル要素３を回転させることにより、図９に示すように、前記第１の取付爪体６の挿入部６４１を前記開口２１１内に挿入する。挿入時、前記上向爪部６５が、前記開口２１１の上開口縁部２１１ａに押されて下方に弾性変形し、通過後、図５に示すように、元の形状に復元して前記側枠部材２１に係り合って、前記構造枠体２に取り付けられる。
【００３７】
このような構成のものであると、パネル１の厚み寸法を部分的又は全体的に変更したい場合に、構造枠体２及びパネル要素３に変更を加えずとも、前記第１、第２の取付爪体６、７を付け替えることにより、簡単に側枠部材２１の前後面２１ａとパネル要素３の裏面３ａ間の離間距離を変更してパネル１の厚み寸法を変更し、使用者が要望する種々の使用形態に柔軟に応えることが可能となる。
【００３８】
第１、第２の取付爪体６、７が、前記第１、第２の爪部４、５に対して着脱可能に取り付けられるものであるので、本実施の形態のように、前記第１、第２の取付爪体の種類を種々変更する等してパネルの厚み変更に対応する場合に、その変更作業を容易なものとし得る。
【００３９】
第１、第２の取付爪体６、７が、前記第１、第２の爪部４、５に対してパネル要素３の幅方向に沿って略水平方向にスライドさせることにより取り付け得るものであるので、本実施の形態のように、パネル要素３を側枠部材２１に取り付けるための上下向爪部６５、７３がパネル１の厚み方向に係り合うものなので、取付方向が直交することとなり、簡単な構成で第１、第２の取付爪体６、７が落下すること等を有効に防止するとともに、取付の便を図ることも可能である。
【００４０】
第１、第２の取付爪体６、７が、左右に対をなして設けてあり、これら対をなすものが、それぞれ逆方向に向って幅方向に横スライドさせることにより前記第１、第２の爪部４、５に取り付けられるものであるので、パネル要素３に幅方向の外力が働いた場合に、前記第１、第２の爪部４、５から第１、第２の取付爪体６、７が外れることを有効に防止することができる。
【００４１】
第１、第２の爪部４、５が、前記パネル要素３側に設けてあるとともに、前記第１、第２の取付爪体６、７の上下向爪部６５、７３が、前記構造枠体２に設けた開口２１１に係り合うので、構造枠体２側に爪部を設ける場合に比べて、加工容易性等を図ることが可能である。
【００４２】
前記パネル要素３の上下端部側に設けた第１、第２の爪部４、５と、前記第１、第２の爪部４、５にそれぞれ取り付けられる第１、第２の取付爪体６、７とを具備し、上端部側に取り付けられる第１の取付爪体６の爪要素が上向爪部６５であり、下端部側に取り付けられる第２の取付爪体７の爪要素が下向爪部７３であるので、前記パネル要素３を確実に構造枠体２に取り付けることができる。
【００４３】
なお、本発明における構成は、以上説明したものに限定されないのは勿論である。例えば、本実施の形態では、左右の取付爪体を爪部の内側面側から互いに離間する方向へ横スライドさせて取り付けるようにしていたが、前記爪部の外側面側から外側面側から互いに相寄る方向へ横スライドさせて取り付けるようにしてもよい。その他の構成も本発明の趣旨を逸脱しない範囲で種々変形が可能である。
【００４４】
【発明の効果】
本発明は、以上説明したような構成で実施され以下に記載されるような効果を奏する。
【００４５】
すなわち、本発明は、前記構造枠体又はパネル要素の対向面の何れか一方側に設けた爪部と、この爪部に取り付けられ、前記構造枠体又はパネル要素の対向面の他方側に係り合う厚み調整部材とを具備し、この厚み調整部材が、前記構造枠体とパネル要素の対向面間に介在して前記対向面間の離間距離を変更し得るものであるので、構造枠体及びパネル要素に変更を加えずとも、厚み調整部材を利用することにより、簡単に構造枠体とパネル要素の対向面間の離間距離を変更してパネルの厚み寸法を変更し、使用者が要望する種々の使用形態に柔軟に応えることが可能となる。
【図面の簡単な説明】
【図１】本発明の一実施の形態を示す全体斜視図。
【図２】同分解斜視図。
【図３】同要部を示す分解斜視図。
【図４】同要部を示す分解斜視図。
【図５】同側断面図。
【図６】同作用説明図。
【図７】同作用説明図。
【図８】同一変形例を示す側断面図。
【図９】同作用説明図。
【符号の説明】
１…パネル
２…構造枠体
２１…側枠部材
２１ａ…対向面（前後面）
２１１…開口
２２…横枠部材
３…パネル要素
３ａ…対向面（裏面）
４…爪部（第１の爪部）
５…爪部（第２の爪部）
６…第１の厚み調整部材（第１の取付爪体）
６５…爪要素（上向爪部）
７…第２の厚み調整部材（第２の取付爪体）
７３…爪要素（下向爪部）
【図１】
0004721587.tif 000002
【図２】
0004721587.tif 000003
【図３】
0004721587.tif 000004
【図４】
0004721587.tif 000005
【図５】
0004721587.tif 000006
【図６】
0004721587.tif 000007
【図７】
0004721587.tif 000008
【図８】
0004721587.tif 000009
【図９】
0004721587.tif 000010